(57)【要約】【課題】従来よりも薄型化された電子機器を提供する。【解決手段】電子機器１０において、ＰＣＭＣＩＡスロット部３０の少なくとも一部は、ディスク機器部２０の下側に重ねて設けられており、ＰＣＭＣＩＡスロット部３０のカード型デバイス用挿入口３０ａは、ディスク機器部２０のディスク用挿入口２０ａよりも内側に退避しており、カード型デバイス用挿入口３０ａにカード型デバイスが挿入された際には、当該カード型デバイスの一部はカード型デバイス用挿入口３０ａから突出して外部に晒される。【選択図】図２
2008293434.tif 000002
【特許請求の範囲】
【請求項１】
本体と、
前記本体側面に設けられたディスク用挿入口を有し、当該ディスク用挿入口を通して前記本体内部にディスク状記憶媒体を挿脱するディスク機器部と、
前記本体側面に設けられたカード型デバイス用挿入口を有し、当該カード型デバイス用挿入口から前記本体内部にカード型デバイスを挿脱するＰＣＭＣＩＡスロット部と、
を備え、
前記ＰＣＭＣＩＡスロット部の少なくとも一部は、前記ディスク機器部の下側に重ねて設けられており、
前記ＰＣＭＣＩＡスロット部の前記カード型デバイス用挿入口は、前記ディスク機器部の前記ディスク用挿入口よりも内側に退避しており、
前記カード型デバイス用挿入口にカード型デバイスが挿入された際には、当該カード型デバイスの一部は前記カード型デバイス用挿入口から突出して外部に晒されることを特徴とする電子機器。
【請求項２】
前記本体は略板形状であり、前記ディスク機器部および前記ＰＣＭＣＩＡスロット部は、略板形状の前記本体と平行に設けられていることを特徴とする請求項１に記載の電子機器。
【請求項３】
前記カード型デバイス用挿入口が前記本体側面から退避した位置には、前記本体を構成する筐体を固定するための締結部が設けられることを特徴とする請求項１〜２のいずれか１項に記載の電子機器。
【請求項４】
前記締結部は、前記本体筐体に螺着される固定ネジを有することを特徴とする請求項１〜３のいずれか１項に記載の電子機器。
【請求項５】
前記カード型デバイス用挿入口が前記本体側面から退避した部分は、前記ＰＣＭＣＩＡスロット部が設けられていない部分と同じ厚みを有することを特徴とする請求項１〜４のいずれか１項に記載の電子機器。
【請求項６】
前記ディスク機器部は、ＤＶＤ、ＣＤ、ＦＤＤのいずれかに対してデータの書き込み処理および／または読み出し処理を行うことを特徴とする請求項１〜５のいずれか１項に記載の電子機器。
【請求項７】
前記ディスク機器部が、ディスク状記憶媒体を可動トレイに載置して前記本体内部に挿入するものである場合には、前記ディスク機器部のディスク用挿入口は、当該可動トレイの端面であることを特徴とする請求項１〜６のいずれか１項に記載の電子機器。
【請求項８】
前記ディスク機器部が、ディスク状記憶媒体を直接に前記本体内部に挿し込むものである場合には、前記ディスク機器部のディスク用挿入口は、前記本体内部への挿し込み口であることを特徴とする請求項１〜６のいずれか１項に記載の電子機器。
【請求項９】
前記ＰＣＭＣＩＡスロット部は、前記カード型デバイス用挿入口の隣りに設けられたエジェクトボタンを有し、当該エジェクトボタンを押すとカード型デバイスが取り出されるものであることを特徴とする請求項１〜８のいずれか１項に記載の電子機器。
【請求項１０】
前記ＰＣＭＣＩＡスロット部は、前記カード型デバイス用挿入口に挿入されたカード型デバイスを押すとカード型デバイスが取り出されるものであることを特徴とする請求項１〜８のいずれか１項に記載の電子機器。
【発明の詳細な説明】
【技術分野】
【０００１】
本発明は、ディスク機器部を供える電子機器に関する。
【背景技術】
【０００２】
従来文献（特許文献１）には、カード型デバイスを裏面に着脱可能な電子機器が示されている。この従来文献では、電子機器の裏面に、カード型デバイスを支持するガイド、およびカード型デバイスに接続するコネクタが設けられている。
【特許文献１】特開平１１‐９５８７０号公報
【発明の開示】
【発明が解決しようとする課題】
【０００３】
電子機器においては、従来よりもさらに薄型化することが要求されている。しかし、電子機器を高機能化するために、電子機器にディスク機器部、ＰＣＭＣＩＡスロット部等の内部機器を設けた場合には、これらの内部機器が有する厚みにより電子機器を薄型化することが困難となってしまう。
【０００４】
本発明は、上記の課題を解決するためになされたもので、従来よりも薄型化された電子機器を提供することを目的とする。
【課題を解決するための手段】
【０００５】
上述した目的を達成するために、本発明に係る電子機器は、本体と、本体側面に設けられたディスク用挿入口を有し、当該ディスク用挿入口を通して本体内部にディスク状記憶媒体を挿脱するディスク機器部と、本体側面に設けられたカード型デバイス用挿入口を有し、当該カード型デバイス用挿入口から本体内部にカード型デバイスを挿脱するＰＣＭＣＩＡスロット部と、を備え、ＰＣＭＣＩＡスロット部の少なくとも一部は、ディスク機器部の下側に重ねて設けられており、ＰＣＭＣＩＡスロット部のカード型デバイス用挿入口は、ディスク機器部のディスク用挿入口よりも内側に退避しており、カード型デバイス用挿入口３０ａにカード型デバイスが挿入された際には、当該カード型デバイスの一部はカード型デバイス用挿入口から突出して外部に晒されることを特徴とする。
【発明の効果】
【０００６】
本発明によれば、ディスク機器およびカード型デバイススロットを備える電子機器において、従来よりも薄型化された電子機器を提供することができる。
【発明を実施するための最良の形態】
【０００７】
以下、添付図面を参照して、本発明の好適な実施形態について詳細に説明する。なお、説明において、同一要素又は同一機能を有する要素には、同一符号を用いることとし、重複する説明は省略する。
【０００８】
図１には、本発明の実施形態に係る電子機器１０として、ノートブック型のパーソナルコンピュータが示されている。図１に示されるように、ノートブック型のパーソナルコンピュータ１０は、コンピュータ本体１１と、ディスプレイユニット１２とから構成されている。ディスプレイユニット１２には、ＬＣＤ（Liquid  Crystal  Display）１７から構成される表示装置が組み込まれており、ＬＣＤ１７の表示画面は、ディスプレイユニット１２の略中央に位置されている。
【０００９】
ディスプレイユニット１２は、コンピュータ本体１１に対して開放位置と閉塞位置との間を回動自在に取り付けられている。コンピュータ本体１１は、薄い箱型の筐体を有しており、その上面には、キーボードユニット１４、パーソナルコンピュータ１０の電源をＯＮ／ＯＦＦするためのパワーボタン１５及びタッチパッド１８等が配置されている。コンピュータ本体１１は、全体として略板状に構成されている。
【００１０】
次に、図２〜図５を参照して、コンピュータ本体１１に搭載されたディスク機器部２０およびＰＣＭＣＩＡスロット部３０について説明する。図２はコンピュータ本体１１の裏面を示す斜視図であり、図３はコンピュータ本体１１の下面を示す下面図であり、図４はコンピュータ本体１１の右側面１１ａを示す側面図である。図５は、コンピュータ本体１１の内部を示す断面図である。
【００１１】
図２および図３に示されるように、コンピュータ本体１１には、ディスク機器部２０およびＰＣＭＣＩＡスロット部３０が内蔵されている。ディスク機器部２０は、ＤＶＤ（Digital Versatile Disc）、ＣＤ（Compact Disc）、ＦＤＤ（Floppy Disc、登録商標）などのディスク状記憶媒体に対してデータの書き込み処理および／または読み出し処理を行うための装置である。ディスク機器部２０は、コンピュータ本体１１の側面１１ａにディスク用挿入口２０ａを有し、このディスク用挿入口２０ａを通してコンピュータ本体１１の内部にディスク状記憶媒体を挿脱可能となっている。そして、ディスク機器部２０は、コンピュータ本体１１の内部に挿入されたディスク状記憶媒体に対してデータの書き込み処理および／または読み出し処理を行う。
【００１２】
ディスク機器部２０は、ディスク状記憶媒体が載置される可動トレイと、可動トレイをスライドさせるスライド機構と、をコンピュータ本体１１の内部に有している。可動トレイの外側端面２０ａは、コンピュータ本体１１の側面１１ａと面一となっている。スライド機構が可動トレイをスライドさせることにより、可動トレイはコンピュータ本体１１の外部に突出したり、コンピュータ本体１１の内部に収納される。このように可動トレイを有するディスク機器部２０では、可動トレイの外側端面２０ａがディスク用挿入口に相当する。なお、本実施形態では、可動トレイを有するタイプのディスク機器部２０を採用しているが、ディスク機器部２０はディスク状記憶媒体を直接にコンピュータ本体１１の内部に挿し込むタイプであってもよい。このタイプのディスク機器部２０では、ディスク状記憶媒体の挿し込み口がディスク用挿入口に相当することとなる。
【００１３】
ＰＣＭＣＩＡスロット部３０は、ＰＣＭＣＩＡ（Personal Computer Memory Card InternationalAssociation）のＰＣカード規格（PC Card Standard）に準拠したカード型デバイスを装着するための装置である。ＰＣＭＣＩＡスロット部３０には、フラッシュメモリカード、ＦＡＸモデムカード、デジタルセルラーカード、ハードディスクカード、ネットワークカードなどの様々な種類のカード型デバイス（ＰＣカード）を装着可能である。ＰＣＭＣＩＡスロット部３０にカード型デバイスが装着されると、カード型デバイスはパーソナルコンピュータ１０の内部機器と接続される。これにより、パーソナルコンピュータ１０には、カード型デバイスの機能が付与される。
【００１４】
ＰＣＭＣＩＡスロット部３０は、コンピュータ本体１１の側面１１ａにＰＣカード用挿入口３０ａを有し、このＰＣカード用挿入口３０ａを通してコンピュータ本体１１の内部にカード型デバイスを挿脱可能となっている。ＰＣカード用挿入口３０ａの隣りにエジェクトボタン３２が設けられており、このエジェクトボタン３２を押すとカード型デバイスが取り出されるように構成されている。なお、本実施形態では、エジェクトボタン３２を押すとカード型デバイスが取り出されるタイプのＰＣＭＣＩＡスロット部３０を採用しているが、ＰＣＭＣＩＡスロット部３０はＰＣカード用挿入口３０ａに挿入されたカード型デバイスを押すとカード型デバイスが取り出されるように構成されていてもよい。
【００１５】
図４に示されるように、ディスク機器部２０およびＰＣＭＣＩＡスロット部３０は、略板状のコンピュータ本体１１と平行に設けられている。また、ＰＣＭＣＩＡスロット部３０の左側の部分は、ディスク機器部２０の下側に重ねて設けられている。ディスク機器部２０の横幅はＷＤであり、ディスク機器部２０の厚さはＴＤである。ＰＣＭＣＩＡスロット部３０の横幅はＷＰであり、ＰＣＭＣＩＡスロット部３０の厚さはＴＰである。なお、本実施形態では、ＰＣＭＣＩＡスロット部３０の一部がディスク機器部２０に重ねて設けられているが、他の実施形態では、ＰＣＭＣＩＡスロット部３０の全部がディスク機器部２０に重ねて設けられてもよい。
【００１６】
図５に示されるように、ＰＣＭＣＩＡスロット部３０のＰＣカード用挿入口３０ａは、コンピュータ本体１１の側面１１ａ（ディスク用挿入口２０ａ）よりもコンピュータ本体１１の中心方向（内側）に距離Ｄだけ退避している。ＰＣカード用挿入口３０ａにカード型デバイス３８が挿入された際には、当該カード型デバイス３８の一部はＰＣカード用挿入口３０ａから突出して外部に晒された状態となる。カード型デバイス３８の一部が外部に晒される構造ではコンピュータ本体１１の筐体の一部が除去されるため、当該構造はコンピュータ本体１１の軽量化に寄与する。なお、図４を参照すると理解できるように、ＰＣカード用挿入口３０ａがコンピュータ本体側面１１ａから退避した部分は、ＰＣＭＣＩＡスロット部３０が存在しない部分と同じ厚みを有する。
【００１７】
本実施形態のパーソナルコンピュータ１０によれば、コンピュータ本体１１の側面１１ａにおいてその厚みを従来よりも薄型化することができる。すなわち、ＰＣＭＣＩＡスロット部３０はコンピュータ本体１１の側面１１ａから内側に退避しているため、コンピュータ本体１１の厚みはその側面１１ａにおいて薄くなっている。また、ＰＣＭＣＩＡスロット部３０はコンピュータ本体１１の側面１１ａから内側に退避しているため、ユーザからＰＣＭＣＩＡスロット部３０は見えず、ユーザはコンピュータ本体１１を外観上薄く感じる。特に、ＰＣカード用挿入口３０ａがコンピュータ本体１１の側面１１ａから退避した部分は、ＰＣＭＣＩＡスロット部３０が存在しない部分と同じ厚みを有するため、ユーザはコンピュータ本体１１を顕著に薄く感じる。なお、このように薄型化された構造は、パーソナルコンピュータ１０を取り扱いやすくし、デザイン的にも優れている。
【００１８】
また、本実施形態のパーソナルコンピュータ１０によれば、ＰＣＭＣＩＡスロット部３０の下側板部３４が薄く、構造上弱い部分となっているが、ＰＣＭＣＩＡスロット部３０はコンピュータ本体１１の側面１１ａから内側に退避しているため、コンピュータ本体１１の側面１１ａに何かが当たったときにも、ＰＣＭＣＩＡスロット部３０の下側板部３４に当たらないため、ＰＣＭＣＩＡスロット部３０の下側板部３４を壊れ難くすることができる。
【００１９】
また、本実施形態のパーソナルコンピュータ１０によれば、ＰＣＭＣＩＡスロット部３０はコンピュータ本体１１の側面１１ａから内側に退避しているため、ＰＣＭＣＩＡスロット部３０のＰＣカード用挿入口３０ａに指を挟んだりすることが防止されているおり、パーソナルコンピュータ１０の安全性が向上している。
【００２０】
また、コンピュータ本体１１の下面には、コンピュータ本体１１の筐体を固定するために複数箇所にネジ止めが施されている（図４参照）。特に、ディスク機器部２０およびＰＣＭＣＩＡスロット部３０が設けられているコンピュータ本体１１の右側面１１ａに沿って、４つの固定ネジ４０Ａ，４０Ｂ，４０Ｃ，４０Ｄが螺着されている（図３参照）。そのうち１つの固定ネジ４０Ｂは、ＰＣカード用挿入口３０ａがコンピュータ本体１１の側面１１ａから退避した位置に設けられている。ディスク機器部２０のディスク用挿入口２０ａが存在する位置には固定ネジを螺着することができないため、コンピュータ本体１１の筐体の強度は弱くなってしまう。これに対して、１つの固定ネジ４０Ｂが上記位置に螺着されることにより、ディスク機器部２０の端付近においてコンピュータ本体１１の筐体の強度を強くすることができる。なお、本実施形態では、コンピュータ本体１１の筐体を固定するための締結部は、固定ネジが螺着される構造であったが、他の実施形態では、他の種類の締結方法を用いた構造であってもよい。
【００２１】
なお、上述した実施形態では、ディスク機器部２０およびＰＣＭＣＩＡスロット部３０はコンピュータ本体１１の右側面１１ａに設けられたが、他の実施形態では、ディスク機器部２０およびＰＣＭＣＩＡスロット部３０は左側側面、手前側側面、奥側側面に設けられてもよい。
【００２２】
なお、上述した実施形態では、電子機器の一例としてノートブック型パーソナルコンピュータが示されたが、他の実施形態では、別の種類の電子機器であってもよい。
【図面の簡単な説明】
【００２３】
【図１】本発明の実施形態に係るノートブック型パーソナルコンピュータを示す斜視図である。
【図２】パーソナルコンピュータの下面を示す斜視図である。
【図３】パーソナルコンピュータの下面を示す下面図である。
【図４】パーソナルコンピュータの側面を示す側面図である。
【図５】パーソナルコンピュータの内部を示す断面図である。
【符号の説明】
【００２４】
１０…パーソナルコンピュータ（電子機器）、１１…コンピュータ本体、１２…ディスプレイユニット、１４…キーボードユニット、１５…パワーボタン、１８…タッチパッド、２０…ディスク機器部、２０ａ…ディスク用挿入口、３０…ＰＣＭＣＩＡスロット部、３０ａ…ＰＣカード用挿入口、３２…エジェクトボタン。
【図１】
2008293434.tif 000003
【図２】
2008293434.tif 000004
【図３】
2008293434.tif 000005
【図４】
2008293434.tif 000006
【図５】
2008293434.tif 000007